(57)【要約】【課題】回旋防止性に優れる歯科インプラント用フィクスチャー、並びにそれを備える歯科インプラントおよび歯科インプラントシステムを提供することである。【解決手段】略円柱状のフィクスチャー本体部と、フィクスチャー本体部の上面に位置している凹部と、凹部の内壁部に位置しているフィクスチャー回旋防止部と、を備え、フィクスチャー回旋防止部は、上面視において外方に凸の曲線状である複数の第１壁部と、上面視において直線状であり多角形の辺の一部からなる複数の第２壁部と、を有する、歯科インプラント用フィクスチャー１Ａであり、このフィクスチャー１Ａとアバットメント１１を備える歯科インプラント、この歯科インプラントとフィクスチャー埋入用器具１０１を備える歯科インプラントシステム１００である。【選択図】図１
2015084796.tif 000002
【特許請求の範囲】
【請求項１】
略円柱状のフィクスチャー本体部と、
前記フィクスチャー本体部の上面に位置している凹部と、
前記凹部の内壁部に位置しているフィクスチャー回旋防止部と、を備え、
前記フィクスチャー回旋防止部は、
上面視において外方に凸の曲線状である複数の第１壁部と、
上面視において直線状であり多角形の辺の一部からなる複数の第２壁部と、を有する、歯科インプラント用フィクスチャー。
【請求項２】
前記複数の第１壁部に外接する外接円の中心と、前記複数の第２壁部に内接する内接円の中心とが、同心である、請求項１に記載の歯科インプラント用フィクスチャー。
【請求項３】
前記複数の第１壁部に外接する外接円の中心と、前記複数の第２壁部に内接する内接円の中心とが、前記フィクスチャー本体部の中心軸上に位置している、請求項１または２に記載の歯科インプラント用フィクスチャー。
【請求項４】
前記複数の第１壁部の個数が、６個である、請求項１〜３のいずれかに記載の歯科インプラント用フィクスチャー。
【請求項５】
前記複数の第２壁部を構成する前記多角形が、正多角形である、請求項１〜４のいずれかに記載の歯科インプラント用フィクスチャー。
【請求項６】
前記フィクスチャー回旋防止部は、前記複数の第２壁部のうち互いに隣り合う２つの第２壁部同士が前記多角形の頂点を介して互いに接続してなる複数の屈曲部をさらに有する、請求項１〜５のいずれかに記載の歯科インプラント用フィクスチャー。
【請求項７】
請求項１〜６のいずれかに記載の歯科インプラント用フィクスチャーと、
前記歯科インプラント用フィクスチャーに前記凹部を介して取り付けられるアバットメントと、を備える歯科インプラントであって、
前記アバットメントは、
アバットメント本体部と、
前記アバットメント本体部の下面に位置しているアバットメント回旋防止部と、を備え、
前記アバットメント回旋防止部は、
下面視において外方に凸の曲線状である複数の第３壁部と、
前記複数の第３壁部のうち互いに隣り合う第３壁部の間に位置しており下面視において内方に凸の曲線状である複数の第４壁部と、を有するとともに、
前記複数の第３壁部が前記複数の第１壁部に対向し、かつ前記複数の第４壁部が前記複数の第２壁部に対向するように、前記フィクスチャー回旋防止部に嵌合する、歯科インプラント。
【請求項８】
前記複数の第１壁部に外接する外接円の半径をＤ１、前記複数の第２壁部に内接する内接円の半径をＤ２、前記複数の第３壁部に外接する外接円の半径をＤ３としたとき、前記Ｄ１〜前記Ｄ３は、Ｄ１＞Ｄ３＞Ｄ２の関係を有する、請求項７に記載の歯科インプラント。
【請求項９】
前記複数の第４壁部に内接する内接円の半径をＤ４としたとき、前記Ｄ１〜前記Ｄ４は、Ｄ１＞Ｄ３＞Ｄ２＞Ｄ４の関係を有する、請求項８に記載の歯科インプラント。
【請求項１０】
請求項７〜９のいずれかに記載の歯科インプラントと、
前記歯科インプラント用フィクスチャーを顎骨に埋入するフィクスチャー埋入用器具と、を備える歯科インプラントシステムであって、
前記フィクスチャー埋入用器具は、
略棒状の器具本体部と、
前記器具本体部の先端部に位置している器具回旋防止部と、を備え、
前記器具回旋防止部は、
先端視において多角形の一辺からなる複数の第５壁部を有するとともに、
前記複数の第５壁部が前記複数の第２壁部に対向するように、前記フィクスチャー回旋防止部に嵌合する、歯科インプラントシステム。
【請求項１１】
前記複数の第１壁部に外接する外接円の半径をＤ１、前記複数の第２壁部に内接する内接円の半径をＤ２、前記複数の第５壁部に外接する外接円の半径をＤ５としたとき、前記Ｄ１、前記Ｄ２および前記Ｄ５は、Ｄ１＞Ｄ５＞Ｄ２の関係を有する、請求項１０に記載の歯科インプラントシステム。
【発明の詳細な説明】
【技術分野】
【０００１】
本発明は、歯科インプラント用フィクスチャー、並びにそれを備える歯科インプラントおよび歯科インプラントシステムに関する。
【背景技術】
【０００２】
歯科インプラント用フィクスチャー（以下、「フィクスチャー」と言うことがある。）として、特許文献１には、フィクスチャーの口腔内側における横断面円形の内面に、複数の凹条溝（１ａ），（１ｂ）を形成した構成が提案されている。
【０００３】
特許文献１では、複数の凹条溝（１ａ），（１ｂ）のうち複数の凹条溝（１ａ）に、アバットメントの所定部位に形成された複数の突起を係合させて、アバットメントの回旋を防止している。また、複数の凹条溝（１ｂ）に、フィクスチャーを顎骨に埋入するインスツルメントの所定部位に形成された複数の突起を係合させて、フィクスチャー埋入時のインスツルメントの回旋を防止している。
【０００４】
しかし、特許文献１では、インスツルメント用の凹条溝（１ｂ）を、アバットメント用の凹条溝（１ａ）よりも大きく、または深く形成することによってフィクスチャー埋入時の大きなトルクに対応しているため、インスツルメント用の凹条溝（１ｂ）には、インスツルメントの突起のみならず、アバットメントの突起も係合させることができる。それゆえ、特許文献１に記載されている構成では、インスツルメント用の凹条溝（１ｂ）に誤ってアバットメントの突起を係合させるおそれがある。インスツルメント用の凹条溝（１ｂ）に誤ってアバットメントの突起を係合させると、両者の隙間が大きくなってガタが発生し、回旋防止性が低下する。この問題は、フィクスチャー埋入時の大きなトルクによってインスツルメント用の凹条溝（１ｂ）が変形または破損したときに顕著である。
【先行技術文献】
【特許文献】
【０００５】
【特許文献１】特許第４８１８５９８号公報
【発明の概要】
【発明が解決しようとする課題】
【０００６】
本発明の課題は、回旋防止性に優れる歯科インプラント用フィクスチャー、並びにそれを備える歯科インプラントおよび歯科インプラントシステムを提供することである。
【課題を解決するための手段】
【０００７】
本発明者らは、上記課題を解決すべく鋭意研究を重ねた結果、以下の構成からなる解決手段を見出し、本発明を完成するに至った。
（１）略円柱状のフィクスチャー本体部と、前記フィクスチャー本体部の上面に位置している凹部と、前記凹部の内壁部に位置しているフィクスチャー回旋防止部と、を備え、前記フィクスチャー回旋防止部は、上面視において外方に凸の曲線状である複数の第１壁部と、上面視において直線状であり多角形の辺の一部からなる複数の第２壁部と、を有する、歯科インプラント用フィクスチャー。
（２）前記複数の第１壁部に外接する外接円の中心と、前記複数の第２壁部に内接する内接円の中心とが、同心である、前記（１）に記載の歯科インプラント用フィクスチャー。
（３）前記複数の第１壁部に外接する外接円の中心と、前記複数の第２壁部に内接する内接円の中心とが、前記フィクスチャー本体部の中心軸上に位置している、前記（１）または（２）に記載の歯科インプラント用フィクスチャー。
（４）前記複数の第１壁部の個数が、６個である、前記（１）〜（３）のいずれかに記載の歯科インプラント用フィクスチャー。
（５）前記複数の第２壁部を構成する前記多角形が、正多角形である、前記（１）〜（４）のいずれかに記載の歯科インプラント用フィクスチャー。
（６）前記フィクスチャー回旋防止部は、前記複数の第２壁部のうち互いに隣り合う２つの第２壁部同士が前記多角形の頂点を介して互いに接続してなる複数の屈曲部をさらに有する、前記（１）〜（５）のいずれかに記載の歯科インプラント用フィクスチャー。
（７）前記（１）〜（６）のいずれかに記載の歯科インプラント用フィクスチャーと、前記歯科インプラント用フィクスチャーに前記凹部を介して取り付けられるアバットメントと、を備える歯科インプラントであって、前記アバットメントは、アバットメント本体部と、前記アバットメント本体部の下面に位置しているアバットメント回旋防止部と、を備え、前記アバットメント回旋防止部は、下面視において外方に凸の曲線状である複数の第３壁部と、前記複数の第３壁部のうち互いに隣り合う第３壁部の間に位置しており下面視において内方に凸の曲線状である複数の第４壁部と、を有するとともに、前記複数の第３壁部が前記複数の第１壁部に対向し、かつ前記複数の第４壁部が前記複数の第２壁部に対向するように、前記フィクスチャー回旋防止部に嵌合する、歯科インプラント。
（８）前記複数の第１壁部に外接する外接円の半径をＤ１、前記複数の第２壁部に内接する内接円の半径をＤ２、前記複数の第３壁部に外接する外接円の半径をＤ３としたとき、前記Ｄ１〜前記Ｄ３は、Ｄ１＞Ｄ３＞Ｄ２の関係を有する、前記（７）に記載の歯科インプラント。
（９）前記複数の第４壁部に内接する内接円の半径をＤ４としたとき、前記Ｄ１〜前記Ｄ４は、Ｄ１＞Ｄ３＞Ｄ２＞Ｄ４の関係を有する、前記（８）に記載の歯科インプラント。
（１０）前記（７）〜（９）のいずれかに記載の歯科インプラントと、前記歯科インプラント用フィクスチャーを顎骨に埋入するフィクスチャー埋入用器具と、を備える歯科インプラントシステムであって、前記フィクスチャー埋入用器具は、略棒状の器具本体部と、前記器具本体部の先端部に位置している器具回旋防止部と、を備え、前記器具回旋防止部は、先端視において多角形の一辺からなる複数の第５壁部を有するとともに、前記複数の第５壁部が前記複数の第２壁部に対向するように、前記フィクスチャー回旋防止部に嵌合する、歯科インプラントシステム。
（１１）前記複数の第１壁部に外接する外接円の半径をＤ１、前記複数の第２壁部に内接する内接円の半径をＤ２、前記複数の第５壁部に外接する外接円の半径をＤ５としたとき、前記Ｄ１、前記Ｄ２および前記Ｄ５は、Ｄ１＞Ｄ５＞Ｄ２の関係を有する、前記（１０）に記載の歯科インプラントシステム。
【発明の効果】
【０００８】
本発明によれば、優れた回旋防止性を発揮することができるという効果がある。
【図面の簡単な説明】
【０００９】
【図１】本発明の第１実施形態に係る歯科インプラントシステムを示す概略説明図である。
【図２】図１に示す歯科インプラントシステムが備える歯科インプラント用フィクスチャーおよびアバットメントを互いに組み合わせた状態を拡大して示す図であり、本発明の第１実施形態に係る歯科インプラントを示す断面図である。
【図３】図１に示す歯科インプラントシステムが備える歯科インプラント用フィクスチャーを拡大して示す図であり、（ａ）は断面図、（ｂ）は（ａ）のａ矢視拡大平面図（上面視図）である。
【図４】図１に示す歯科インプラントシステムが備えるアバットメントを拡大して示す図であり、（ａ）は断面図、（ｂ）は（ａ）のｂ矢視拡大底面図（下面視図）である。
【図５】図１に示す歯科インプラントシステムが備える歯科インプラント用フィクスチャーおよびアバットメントの嵌合状態を拡大して示す図であり、（ａ）は互いの壁部が接触していない状態を示す概略説明図、（ｂ）は互いの壁部が接触している状態を示す概略説明図である。
【図６】図１に示す歯科インプラントシステムが備えるフィクスチャー埋入用器具を示す図であり、（ａ）は側面図、（ｂ）は（ａ）のｃ矢視拡大底面図（先端視図）である。
【図７】図１に示す歯科インプラントシステムが備える歯科インプラント用フィクスチャーおよびフィクスチャー埋入用器具の嵌合状態を拡大して示す図であり、（ａ）は互いの壁部が接触していない状態を示す概略説明図、（ｂ）は互いの壁部が接触している状態を示す概略説明図である。
【図８】本発明の第２実施形態に係る歯科インプラント用フィクスチャーを示す図であり、図３（ｂ）に相当する拡大平面図（上面視図）である。
【図９】本発明の第３，第４実施形態に係る歯科インプラント用フィクスチャーを示す図であり、（ａ）および（ｂ）はいずれも、図３（ｂ）に相当する拡大平面図（上面視図）である。
【図１０】本発明の第５，第６実施形態に係る歯科インプラント用フィクスチャーを示す図であり、（ａ）および（ｂ）はいずれも、図３（ｂ）に相当する拡大平面図（上面視図）である。
【発明を実施するための形態】
【００１０】
＜歯科インプラント用フィクスチャー・歯科インプラント・歯科インプラントシステム＞
（第１実施形態）
以下、本発明の第１実施形態に係るフィクスチャー、歯科インプラントおよび歯科インプラントシステムについて、図１〜図７を参照して詳細に説明する。
【００１１】
図１に示すように、本実施形態の歯科インプラントシステム１００は、フィクスチャー１Ａと、アバットメント１１と、フィクスチャー埋入用器具（以下、「器具」と言うことがある。）１０１と、を備えている。
【００１２】
フィクスチャー１Ａ、アバットメント１１および器具１０１のうち、フィクスチャー１Ａおよびアバットメント１１は、図２に示すように、互いに組み合わされて本実施形態の歯科インプラント１０を構成する部材である。
【００１３】
（歯科インプラント用フィクスチャー）
本実施形態のフィクスチャー１Ａは、図３（ａ）に示すように、略円柱状のフィクスチャー本体部２を備えている。本実施形態のフィクスチャー本体部２は、その外周部に位置しているネジ部２１を有する。このような構成によれば、顎骨にフィクスチャー１Ａをセルフタップで螺入しつつ埋入することができる。
【００１４】
また、本実施形態のフィクスチャー本体部２は、その上端部に位置している上面２２を有する。本実施形態の上面２２は、フィクスチャー１Ａを顎骨に埋入したとき、患者の口腔内側に位置する面であり、アバットメント１１が取り付けられる面である。
【００１５】
本実施形態のフィクスチャー１Ａは、フィクスチャー本体部２の上面２２に位置している凹部３をさらに備えている。本実施形態の凹部３は、略円筒状の内壁部３１を有する。本実施形態の内壁部３１は、上面２２側から順に上内壁部３１ａと、段差部３１ｂと、下内壁部３１ｃと、を有する。
【００１６】
本実施形態の上内壁部３１ａは、図２に示すように、アバットメント１１のテーパ領域１５とテーパ嵌合可能なテーパ状に構成されている。このような構成によれば、上内壁部３１ａにアバットメント１１のテーパ領域１５をテーパ嵌合させてアバットメント１１をフィクスチャー１Ａに固定することができる。
【００１７】
また、図３（ａ）に示すように、本実施形態の段差部３１ｂは、上内壁部３１ａおよび下内壁部３１ｃを互いに接続している部位である。本実施形態の下内壁部３１ｃは、後述するフィクスチャー回旋防止部４Ａが位置している部位である。
【００１８】
本実施形態の凹部３は、その底部に位置しているネジ孔３２をさらに有する。本実施形態では、図２に示すように、ネジ孔３２に後述するアバットメントスクリュー１６の先端部を螺合させることによって、アバットメント１１をフィクスチャー１Ａに取り付ける。
【００１９】
ここで、本実施形態のフィクスチャー１Ａは、図３（ａ）に示すように、内壁部３１に位置しているフィクスチャー回旋防止部４Ａをさらに備えている。本実施形態のフィクスチャー回旋防止部４Ａは、後述する図４（ａ）に示すアバットメント回旋防止部１４、および図６（ａ）に示す器具回旋防止部１０４がそれぞれ嵌合し、アバットメント１１および器具１０１がフィクスチャー１Ａに対して回旋するのを防止する部位である。
【００２０】
図３（ａ）に示すように、本実施形態のフィクスチャー回旋防止部４Ａは、内壁部３１のうち下内壁部３１ｃに位置しており、図３（ｂ）に示すように、複数の第１壁部４１および複数の第２壁部４２を有する。本実施形態では、複数の第１壁部４１がいずれも、上面視において外方に凸の曲線状であり、複数の第２壁部４２がいずれも、上面視において直線状であり、かつ多角形４２１の辺の一部からなる。なお、上面視とは、上面２２側からフィクスチャー１Ａを見た状態を意味するものとする。
【００２１】
本実施形態では、複数の第１壁部４１をいわゆるヘックスローブに構成していることから、第１壁部４１の個数は６個である。本実施形態では、第２壁部４２の個数も第１壁部４１と同様に６個であるが、第１壁部４１および第２壁部４２のそれぞれの個数は、６個に限定されるものではなく、所望の個数を採用することができる。また、第１壁部４１および第２壁部４２のそれぞれの個数は、互いに同一であってもよいし、異なっていてもよい。
【００２２】
本実施形態では、複数の第１壁部４１のそれぞれの形状が実質的に同じであり、複数の第２壁部４２のそれぞれの形状も実質的に同じである。なお、複数の第１壁部４１のそれぞれの形状は、互いに同一であってもよいし、異なっていてもよい。この点、複数の第２壁部４２についても同様である。
【００２３】
複数の第２壁部４２を構成する多角形４２１としては、例えば四角形、六角形、八角形等が挙げられるが、これらに限定されるものではない。また、多角形４２１としては、正多角形であるのがよい。本実施形態の多角形４２１は、正六角形である。
【００２４】
本実施形態の複数の第２壁部４２はいずれも、正六角形である多角形４２１の一辺の略中央部からなる。また、本実施形態の複数の第２壁部４２はいずれも、複数の第１壁部４１のうち互いに隣り合う第１壁部４１，４１の間に位置しており、互いに隣り合う第１壁部４１，４１に連続している。
【００２５】
（アバットメント）
一方、上述したフィクスチャー１Ａとともに図２に示す歯科インプラント１０を構成する本実施形態のアバットメント１１は、フィクスチャー１Ａの上述した凹部３を介してフィクスチャー１Ａに取り付けられる部材である。
【００２６】
本実施形態のアバットメント１１は、図４（ａ）に示すように、アバットメント本体部１２を備えている。本実施形態のアバットメント本体部１２は、略円筒状であり、その下端部に位置している下面１３を有する。本実施形態の下面１３は、アバットメント１１をフィクスチャー１Ａに取り付けたとき、フィクスチャー１Ａ側に位置する面である。
【００２７】
本実施形態のアバットメント１１は、アバットメント本体部１２の下面１３に位置しているアバットメント回旋防止部１４をさらに備えている。本実施形態のアバットメント回旋防止部１４は、上述したフィクスチャー回旋防止部４Ａに嵌合する部位であり、下面１３から下方に略円筒状に延びている。また、本実施形態のアバットメント回旋防止部１４は、フィクスチャー回旋防止部４Ａにスムーズに嵌合するため、その全体のサイズが、フィクスチャー回旋防止部４Ａよりも若干小さく構成されている。
【００２８】
本実施形態のアバットメント回旋防止部１４は、図４（ｂ）に示すように、複数の第３壁部１４１および複数の第４壁部１４２を有する。本実施形態では、複数の第３壁部１４１がいずれも、下面視において外方に凸の曲線状であり、複数の第４壁部１４２がいずれも、複数の第３壁部１４１のうち互いに隣り合う第３壁部１４１，１４１の間に位置しているとともに、下面視において内方に凸の曲線状である。なお、下面視とは、下面１３側からアバットメント１１を見た状態を意味するものとする。
【００２９】
本実施形態では、複数の第３壁部１４１を上述した第１壁部４１と同様にヘックスローブに構成していることから、第３壁部１４１の個数は６個である。本実施形態では、第４壁部１４２の個数も第３壁部１４１と同様に６個であるが、第３壁部１４１および第４壁部１４２のそれぞれの個数は、６個に限定されるものではなく、所望の個数を採用することができる。また、第３壁部１４１および第４壁部１４２のそれぞれの個数は、互いに同一であってもよいし、異なっていてもよい。
【００３０】
本実施形態では、複数の第３壁部１４１のそれぞれの形状が実質的に同じであり、複数の第４壁部１４２のそれぞれの形状も実質的に同じである。なお、複数の第３壁部１４１のそれぞれの形状は、互いに同一であってもよいし、異なっていてもよい。この点、複数の第４壁部１４２についても同様である。本実施形態の複数の第４壁部１４２はいずれも、互いに隣り合う第３壁部１４１，１４１に連続している。
【００３１】
（フィクスチャー埋入用器具）
一方、上述したフィクスチャー１Ａおよびアバットメント１１とともに図１に示す歯科インプラントシステム１００を構成する本実施形態の器具１０１は、フィクスチャー１Ａを顎骨に埋入するときに使用する部材である。
【００３２】
本実施形態の器具１０１は、図６（ａ）に示すように、略棒状の器具本体部１０２と、器具本体部１０２の先端部１０３に位置している器具回旋防止部１０４と、を備えている。
【００３３】
本実施形態の器具回旋防止部１０４は、上述したフィクスチャー回旋防止部４Ａに嵌合する部位であり、先端部１０３から略角柱状に突出している。また、本実施形態の器具回旋防止部１０４は、フィクスチャー回旋防止部４Ａにスムーズに嵌合するため、その全体のサイズが、フィクスチャー回旋防止部４Ａよりも若干小さく構成されている。
【００３４】
本実施形態の器具回旋防止部１０４は、図６（ｂ）に示すように、先端視において多角形１０５の一辺からなる複数の第５壁部１０６を有する。なお、先端視とは、先端部１０３側から器具１０１を見た状態を意味するものとする。
【００３５】
複数の第５壁部１０６を構成する多角形１０５は、器具回旋防止部１０４をフィクスチャー回旋防止部４Ａに嵌合するため、上述した複数の第２壁部４２を構成する多角形４２１に対応する形状に構成されている。すなわち、本実施形態の多角形１０５は、上述した多角形４２１と同様に、正六角形で構成されている。
【００３６】
ここで、本実施形態では、上述したアバットメント回旋防止部１４および器具回旋防止部１０４のそれぞれが、次のような特定の配置でフィクスチャー回旋防止部４Ａに嵌合する。すなわち、図５（ａ）に示すように、アバットメント回旋防止部１４は、複数の第３壁部１４１が複数の第１壁部４１に対向し、かつ複数の第４壁部１４２が複数の第２壁部４２に対向するように、フィクスチャー回旋防止部４Ａに嵌合する。また、図７（ａ）に示すように、器具回旋防止部１０４は、複数の第５壁部１０６が複数の第２壁部４２に対向するように、フィクスチャー回旋防止部４Ａに嵌合する。これらの構成によれば、各回旋防止部１４，１０４がそれぞれ特定の配置でフィクスチャー回旋防止部４Ａに嵌合することから、各回旋防止部１４，１０４が誤った配置でフィクスチャー回旋防止部４Ａに嵌合するのを抑制することができる。
【００３７】
また、本実施形態によれば、次のような優れた回旋防止性を発揮することができる。すなわち、本実施形態の各回旋防止部１４，１０４は、上述のとおり、フィクスチャー回旋防止部４Ａへの嵌合をスムーズにするため、その全体のサイズがフィクスチャー回旋防止部４Ａよりも若干小さく構成されている。したがって、本実施形態では、図５および図７に示すように、各回旋防止部１４，１０４がフィクスチャー回旋防止部４Ａに嵌合したとき、両者の間に若干の隙間が存在する。本実施形態では、この隙間に応じて、各回旋防止部１４，１０４が実使用上問題のない範囲でフィクスチャー回旋防止部４Ａに対して若干回旋する。そして、本実施形態によれば、アバットメント回旋防止部１４が若干回旋したときにフィクスチャー回旋防止部４Ａに接触する位置と、器具回旋防止部１０４が若干回旋したときにフィクスチャー回旋防止部４Ａに接触する位置とを、互いに異ならせることができる。
【００３８】
具体的に説明すると、図５（ｂ）に示すように、アバットメント回旋防止部１４が若干回旋したときには、位置ａにおいてアバットメント回旋防止部１４がフィクスチャー回旋防止部４Ａに接触する。これに対し、図７（ｂ）に示すように、器具回旋防止部１０４が若干回旋したときには、位置ａとは異なる位置ｂにおいて器具回旋防止部１０４がフィクスチャー回旋防止部４Ａに接触する。したがって、本実施形態によれば、器具１０１を使用してフィクスチャー１Ａを埋入するときには、まず、位置ｂによって器具１０１がフィクスチャー１Ａに対して回旋するのを防止することができる。次に、フィクスチャー埋入時の大きなトルクによって位置ｂが変形または破損したとしても、位置ａは変形または破損していないことから、アバットメント１１をフィクスチャー１Ａに取り付けたときには、位置ａによってアバットメント１１がフィクスチャー１Ａに対して回旋するのを防止することができる。
【００３９】
本実施形態では、図３（ｂ）、図４（ｂ）および図５（ａ）に示すように、複数の第１壁部４１に外接する外接円Ｃ１の半径をＤ１、複数の第２壁部４２に内接する内接円Ｃ２の半径をＤ２、複数の第３壁部１４１に外接する外接円Ｃ３の半径をＤ３としたとき、Ｄ１〜Ｄ３が、Ｄ１＞Ｄ３＞Ｄ２の関係を有する。また、本実施形態では、複数の第４壁部１４２に内接する内接円Ｃ４の半径をＤ４としたとき、Ｄ１〜Ｄ４が、Ｄ１＞Ｄ３＞Ｄ２＞Ｄ４の関係を有する。これらの構成によれば、アバットメント回旋防止部１４が若干回旋したとき、位置ａにおいてアバットメント回旋防止部１４をフィクスチャー回旋防止部４Ａに接触させることができる。
【００４０】
なお、複数の第１壁部４１に外接する外接円Ｃ１とは、上面視において、複数の第１壁部４１を全て含む最小円のことを意味するものとする。また、複数の第２壁部４２に内接する内接円Ｃ２とは、複数の第２壁部４２に含まれる最大円のことを意味するものとする。複数の第３壁部１４１に外接する外接円Ｃ３は、上述した複数の第１壁部４１に外接する外接円Ｃ１と同様に規定される。複数の第４壁部１４２に内接する内接円Ｃ４は、上述した複数の第２壁部４２に内接する内接円Ｃ２と同様に規定される。
【００４１】
また、本実施形態では、図６（ｂ）および図７（ａ）に示すように、複数の第５壁部１０６に外接する外接円Ｃ５の半径をＤ５としたとき、Ｄ１、Ｄ２およびＤ５が、Ｄ１＞Ｄ５＞Ｄ２の関係を有する。このような構成によれば、器具回旋防止部１０４が若干回旋したとき、位置ｂにおいて器具回旋防止部１０４をフィクスチャー回旋防止部４Ａに接触させることができる。なお、複数の第５壁部１０６に外接する外接円Ｃ５は、上述した複数の第１壁部４１に外接する外接円Ｃ１と同様に規定される。
【００４２】
本実施形態では、アバットメント回旋防止部１４および器具回旋防止部１０４がそれぞれ若干回旋してフィクスチャー回旋防止部４Ａに接触したときに発生する応力を、バランスよく分散させる観点から、フィクスチャー１Ａが次のような構成を有する。すなわち、図３（ｂ）に示すように、複数の第２壁部４２を構成する多角形４２１が、上述のとおり、正多角形（正六角形）である。また、複数の第１壁部４１に外接する外接円Ｃ１の中心Ｓ１と、複数の第２壁部４２に内接する内接円Ｃ２の中心Ｓ２とが、同心である。さらに、中心Ｓ１，Ｓ２が、フィクスチャー本体部２の中心軸Ｏ１上に位置している。フィクスチャー本体部２の中心軸Ｏ１とは、図３（ａ）に示すように、フィクスチャー本体部２の先端部２３および上面２２を貫く軸であり、図３（ｂ）に示す上面視において、フィクスチャー１Ａを回転させたときに回転軸となる軸を意味するものとする。
【００４３】
また、上述した応力をバランスよく分散させる観点から、本実施形態では、アバットメント１１および器具１０１がフィクスチャー１Ａと同様の構成を有する。すなわち、図４（ｂ）に示すように、複数の第３壁部１４１に外接する外接円Ｃ３の中心Ｓ３と、複数の第４壁部１４２に内接する内接円Ｃ４の中心Ｓ４とが、同心である。中心Ｓ３，Ｓ４が、アバットメント本体部１２の中心軸Ｏ２上に位置している。また、図６（ｂ）に示すように、複数の第５壁部１０６を構成する多角形１０５が、上述のとおり、正多角形（正六角形）である。複数の第５壁部１０６に外接する外接円Ｃ５の中心Ｓ５が、器具本体部１０２の中心軸Ｏ３上に位置している。なお、アバットメント本体部１２の中心軸Ｏ２および器具本体部１０２の中心軸Ｏ３は、上述したフィクスチャー本体部２の中心軸Ｏ１と同様に規定される。
【００４４】
（第２実施形態）
次に、本発明の第２実施形態に係るフィクスチャー、歯科インプラントおよび歯科インプラントシステムについて、図８を参照して詳細に説明する。なお、図８においては、上述した図１〜図７と同一の構成部分には同一の符号を付して説明は省略する場合がある。
【００４５】
図８に示すように、本実施形態では、フィクスチャー回旋防止部の構成が上述した第１実施形態と異なる。具体的に説明すると、本実施形態のフィクスチャー１Ｂが備えるフィクスチャー回旋防止部４Ｂは、上述したフィクスチャー回旋防止部４Ａにおける正六角形の多角形４２１を、中心軸Ｏ１を中心に４５°回転させた形状に相当する。このような構成によっても、フィクスチャー回旋防止部４Ｂは、上述した第１実施形態に係るフィクスチャー回旋防止部４Ａと同様の効果を奏する。
【００４６】
また、本実施形態のフィクスチャー回旋防止部４Ｂは、複数の屈曲部４３Ｂをさらに有する。本実施形態に係る複数の屈曲部４３Ｂはいずれも、複数の第２壁部４２のうち互いに隣り合う２つの第２壁部４２Ｂ，４２Ｂ同士が、多角形４２１の頂点４２１ａを介して互いに接続してなる。このような構成によれば、以下のような効果が得られる。
【００４７】
すなわち、図６に示す器具回旋防止部１０４をフィクスチャー回旋防止部４Ｂに嵌合させるとき、器具回旋防止部１０４における多角形１０５の頂点１０５ａ周辺が、屈曲部４３Ｂに対向するように、器具回旋防止部１０４をフィクスチャー回旋防止部４Ｂに誘導すると、器具回旋防止部１０４が上述した特定の配置でフィクスチャー回旋防止部４Ｂに嵌合する。したがって、本実施形態によれば、複数の屈曲部４３Ｂが、器具回旋防止部１０４をフィクスチャー回旋防止部４Ｂに嵌合させるときの目印として機能することから、複数の屈曲部４３Ｂを目印に両者をスムーズに嵌合させることができる。
その他の構成は、上述した第１実施形態に係るフィクスチャー１Ａ、歯科インプラント１０および歯科インプラントシステム１００と同様であるので、説明を省略する。
【００４８】
（第３，第４実施形態）
次に、本発明の第３，第４実施形態に係るフィクスチャー、歯科インプラントおよび歯科インプラントシステムについて、図９を参照して詳細に説明する。なお、図９においては、上述した図１〜図８と同一の構成部分には同一の符号を付して説明は省略する場合がある。
【００４９】
図９に示すように、本実施形態では、フィクスチャー回旋防止部の構成が上述した第１，第２実施形態と異なる。具体的に説明すると、図９（ａ）に示すように、第３本実施形態に係るフィクスチャー１Ｃが備えるフィクスチャー回旋防止部４Ｃは、複数の第２壁部４２を構成する多角形４２２が正四角形である。
【００５０】
また、図９（ｂ）に示すように、第４本実施形態に係るフィクスチャー１Ｄが備えるフィクスチャー回旋防止部４Ｄは、上述したフィクスチャー回旋防止部４Ｃにおける正四角形の多角形４２２を、中心軸Ｏ１を中心に４５°回転させた形状に相当する。これらの構成によっても、フィクスチャー回旋防止部４Ｃ，４Ｄはいずれも、上述した第１，第２実施形態に係るフィクスチャー回旋防止部４Ａ，４Ｂと同様の効果を奏する。
【００５１】
また、本実施形態のフィクスチャー回旋防止部４Ｃ，４Ｄはいずれも、上述したフィクスチャー回旋防止部４Ｂと同様に、複数の屈曲部４３Ｃ，４３Ｄをさらに有する。図９（ａ）に示すように、第３本実施形態に係る複数の屈曲部４３Ｃはいずれも、複数の第２壁部４２のうち互いに隣り合う２つの第２壁部４２Ｃ，４２Ｃ同士が、多角形４２２の頂点４２２ａを介して互いに接続してなる。
【００５２】
また、図９（ｂ）に示すように、第４本実施形態に係る複数の屈曲部４３Ｄはいずれも、複数の第２壁部４２のうち互いに隣り合う２つの第２壁部４２Ｄ１，４２Ｄ２同士が、多角形４２２の頂点４２２ａを介して互いに接続してなる。なお、第２壁部４２Ｄ１の長さは、第２壁部４２Ｄ２の長さよりも大きく構成されている。
その他の構成は、上述した第１，第２実施形態に係るフィクスチャー１Ａ，１Ｂ、歯科インプラント１０および歯科インプラントシステム１００と同様であるので、説明を省略する。
【００５３】
（第５，第６実施形態）
次に、本発明の第５，第６実施形態に係るフィクスチャー、歯科インプラントおよび歯科インプラントシステムについて、図１０を参照して詳細に説明する。なお、図１０においては、上述した図１〜図９と同一の構成部分には同一の符号を付して説明は省略する場合がある。
【００５４】
図１０に示すように、本実施形態では、フィクスチャー回旋防止部の構成が上述した第１〜第４実施形態と異なる。具体的に説明すると、図１０（ａ）に示すように、第５本実施形態に係るフィクスチャー１Ｅが備えるフィクスチャー回旋防止部４Ｅは、複数の第２壁部４２を構成する多角形４２３が正八角形である。
【００５５】
また、図１０（ｂ）に示すように、第６本実施形態に係るフィクスチャー１Ｆが備えるフィクスチャー回旋防止部４Ｆは、上述したフィクスチャー回旋防止部４Ｅにおける正八角形の多角形４２３を、中心軸Ｏ１を中心に２２．５°回転させた形状に相当する。これらの構成によっても、フィクスチャー回旋防止部４Ｅ，４Ｆはいずれも、上述した第１〜第４実施形態に係るフィクスチャー回旋防止部４Ａ〜４Ｄと同様の効果を奏する。
【００５６】
また、本実施形態のフィクスチャー回旋防止部４Ｅ，４Ｆはいずれも、上述したフィクスチャー回旋防止部４Ｂ〜４Ｄと同様に、複数の屈曲部４３Ｅ，４３Ｆをさらに有する。図１０（ａ）に示すように、第５本実施形態に係る複数の屈曲部４３Ｅはいずれも、複数の第２壁部４２のうち互いに隣り合う２つの第２壁部４２Ｅ１，４２Ｅ１同士が、多角形４２３の頂点４２３ａを介して互いに接続してなる。
【００５７】
また、図１０（ｂ）に示すように、第６本実施形態に係る複数の屈曲部４３Ｆはいずれも、複数の第２壁部４２のうち互いに隣り合う２つの第２壁部４２Ｆ１，４２Ｆ２同士が、多角形４２３の頂点４２３ａを介して互いに接続してなる。
【００５８】
なお、図１０（ａ）に示すように、フィクスチャー１Ｅにおいては、複数の第２壁部４２が、第２壁部４２Ｅ１よりも長さが大きい第２壁部４２Ｅ２をさらに有する。また、図１０（ｂ）に示すように、フィクスチャー１Ｆにおいては、第２壁部４２Ｆ１の長さが、第２壁部４２Ｆ２の長さよりも大きく構成されており、複数の第２壁部４２が、第２壁部４２Ｆ１，４２Ｆ２よりも長さが大きい第２壁部４２Ｆ３をさらに有する。
その他の構成は、上述した第１〜第４実施形態に係るフィクスチャー１Ａ〜１Ｄ、歯科インプラント１０および歯科インプラントシステム１００と同様であるので、説明を省略する。
【００５９】
＜歯科インプラント埋植手術＞
次に、本発明の一実施形態に係る歯科インプラント埋植手術について、上述したフィクスチャー１Ａを備える歯科インプラントシステム１００を使用する場合を例にとって、詳細に説明する。
【００６０】
まず、歯肉および顎骨の歯槽骨にドリル等によって埋入孔を穿孔する。次に、穿孔した埋入孔にフィクスチャー１Ａを埋入する。本実施形態では、フィクスチャー１Ａを埋入孔に埋入するときに器具１０１を使用する。すなわち、器具回旋防止部１０４がフィクスチャー回旋防止部４Ａに嵌合するように、器具１０１をフィクスチャー１Ａに取り付けて、フィクスチャー１Ａを埋入孔に埋入する。このとき、本実施形態によれば、器具回旋防止部１０４が特定の配置でフィクスチャー回旋防止部４Ａに嵌合することから、誤った配置で器具回旋防止部１０４がフィクスチャー回旋防止部４Ａに嵌合するのを抑制することができる。また、上述した位置ｂによってフィクスチャー埋入時に器具１０１が回旋するのを抑制しつつフィクスチャー１Ａを埋入孔に埋入することができる。
【００６１】
フィクスチャー１Ａを埋入孔に埋入した後、器具１０１をフィクスチャー１Ａから取り外し、フィクスチャー１Ａにアバットメント１１を取り付ける。具体的には、アバットメント回旋防止部１４がフィクスチャー回旋防止部４Ａに嵌合するように、アバットメント１１をフィクスチャー１Ａに取り付ける。このとき、本実施形態によれば、アバットメント回旋防止部１４が特定の配置でフィクスチャー回旋防止部４Ａに嵌合することから、誤った配置でアバットメント回旋防止部１４がフィクスチャー回旋防止部４Ａに嵌合するのを抑制することができる。また、フィクスチャー埋入時の大きなトルクによって位置ｂが変形または破損したとしても、変形または破損していない位置ａによってアバットメント１１の回旋を防止することができる。
【００６２】
なお、本実施形態では、アバットメント回旋防止部１４をフィクスチャー回旋防止部４Ａに嵌合させた後、アバットメントスクリュー１６の先端部をネジ孔３２に螺合させることによって、アバットメント１１をフィクスチャー１Ａに取り付ける（図２参照）。したがって、本実施形態の歯科インプラント１０は、上述したフィクスチャー１Ａおよびアバットメント１１の他に、アバットメントスクリュー１６をさらに備えている。言い換えれば、本実施形態の歯科インプラントシステム１００は、フィクスチャー１Ａ、アバットメント１１および器具１０１の他に、アバットメントスクリュー１６をさらに備えている。
【００６３】
フィクスチャー１Ａにアバットメント１１を取り付けた後、アバットメント１１に図示しない人工歯を取り付けて歯科インプラントとし、治療を終了する。なお、人工歯としては、金属製またはセラミック製のものが挙げられる。人工歯は、単独型であってもよいし、連結型（ブリッジ）であってもよい。
【００６４】
なお、本実施形態では、フィクスチャー１Ａを備える歯科インプラントシステム１００を使用する場合を例にとって説明したが、フィクスチャー１Ａに代えて、フィクスチャー１Ｂ〜１Ｆを備える歯科インプラントシステム１００を使用しても同様の効果が得られる。
【００６５】
以上、本発明に係るいくつかの実施形態について例示したが、本発明は上述した実施形態に限定されるものではなく、本発明の要旨を逸脱しない限り任意のものとすることができることは言うまでもない。
【００６６】
例えば歯科インプラントシステム１００は、アバットメント１１が、アバットメント回旋防止部１４に代えて器具回旋防止部１０４を備え、器具１０１が、器具回旋防止部１０４に代えてアバットメント回旋防止部１４を備える構成にすることができる。すなわち、アバットメント１１が、下面視において多角形１０５の一辺からなる複数の第５壁部１０６を有し、器具１０１が、先端視において外方に凸の曲線状である複数の第３壁部１４１と、複数の第３壁部１４１のうち互いに隣り合う第３壁部１４１，１４１の間に位置しており先端視において内方に凸の曲線状である複数の第４壁部１４２と、を有する構成にすることができる。
【符号の説明】
【００６７】
１Ａ〜１Ｆ  歯科インプラント用フィクスチャー
２  フィクスチャー本体部
２１  ネジ部
２２  上面
２３  先端部
３  凹部
３１  内壁部
３１ａ  上内壁部
３１ｂ  段差部
３１ｃ  下内壁部
３２  ネジ孔
４Ａ〜４Ｆ  フィクスチャー回旋防止部
４１  第１壁部
４２  第２壁部
４２１〜４２３  多角形
４３Ｂ〜４３Ｆ  屈曲部
１０  歯科インプラント
１１  アバットメント
１２  アバットメント本体部
１３  下面
１４  アバットメント回旋防止部
１４１  第３壁部
１４２  第４壁部
１５  テーパ領域
１６  アバットメントスクリュー
１００  歯科インプラントシステム
１０１  フィクスチャー埋入用器具
１０２  器具本体部
１０３  先端部
１０４  器具回旋防止部
１０５  多角形
１０５ａ  頂点
１０６  第５壁部
【図１】
2015084796.tif 000003
【図２】
2015084796.tif 000004
【図３】
2015084796.tif 000005
【図４】
2015084796.tif 000006
【図５】
2015084796.tif 000007
【図６】
2015084796.tif 000008
【図７】
2015084796.tif 000009
【図８】
2015084796.tif 000010
【図９】
2015084796.tif 000011
【図１０】
2015084796.tif 000012